(57)【特許請求の範囲】
【請求項１】
タイルの裏面に形成された逆台形状の凸条に係止して前記タイルの裏面に打設したコンクリートから前記タイルが剥離することを防止するタイル剥離防止金具であって、
前記タイルに対して外方に突出するように湾曲させて弾力を持たせた湾曲面と、
前記湾曲面の両端からそれぞれ前記タイルに向かって延ばされ前記湾曲面の弾力により開閉可能なアームと、
前記アームの先端から閉方向に突出させた爪片と、を有し、
前記湾曲面は、前記コンクリートを通すための切欠部が空けられ、
前記アームは、双方の先端が前記凸条の幅よりも狭い間隔で閉じており、
前記爪片は、前記アームの先端を開いて前記凸条を両側から挟み込むように掛けられ、かつ、前記アームの一端側が一のタイルに掛けられ、他端側が一のタイルに隣接する他のタイルに跨るように掛けられる、
ことを特徴とするタイル剥離防止金具。
【請求項２】
前記アームは、前記アームの先端から一のタイルと他のタイルの間の目地に向かって突出させた突片を有する、
ことを特徴とする請求項１に記載のタイル剥離防止金具。
【請求項３】
前記爪片は、一方のアームの一端側が一のタイルに掛けられ、他方のアームの一端側が一のタイルと他方側に隣接する他のタイルに跨るように掛けられる、
ことを特徴とする請求項１又は２に記載のタイル剥離防止金具。
【請求項４】
前記爪片は、前記タイルの内部を貫通する通孔に通された鉄筋に掛けられる、
ことを特徴とする請求項１乃至３の何れか一に記載のタイル剥離防止金具。
【請求項５】
請求項１乃至４の何れか一に記載のタイル剥離防止金具が取り付けられたタイルの裏面にコンクリートが打設された、
ことを特徴とするタイルパネル。
【発明の詳細な説明】
【技術分野】
【０００１】
本発明は、建築物の壁面に取り付けたタイルパネルからタイルが剥離して落下することを防止するタイル剥離防止金具に関する。
【背景技術】
【０００２】
建築物の壁面には、コンクリート等の基板の表面を覆う外装材又は内装材として、複数のタイルを貼付したタイルパネルが取り付けられる。タイルは、基板に対して接着剤で直貼りされることが多いが、接着剤が経年により劣化し、又は基板が水分等により腐食することで剥離して落下すると、周囲に対して非常に危険なものとなる。そのため、特許文献１に記載されているように、外装タイルの裏面にタイル剥落防止具が係止されたコンクリートブロックの発明も公開されている。
【先行技術文献】
【特許文献】
【０００３】
【特許文献１】特許第５７２１５８９号公報
【発明の概要】
【発明が解決しようとする課題】
【０００４】
しかしながら、特許文献１に記載のタイル剥落防止具は、Ｍ字状の左右両側の脚部を弾性力により内側に撓ませて、タイルの裏面にアリの足のように逆台形状に形成した凹凸（アリ足）に脚部から外側に出た爪部を掛けているが、タイルの裏面にコンクリートを打設する際に外側からの圧力によりタイル剥落防止具が外れてしまう可能性がある。
【０００５】
そこで、本発明は、建築物の壁面に取り付けたタイルパネルからタイルが剥離して落下することをより効果的に防止することができるタイル剥離防止金具を提供することを目的とする。
【課題を解決するための手段】
【０００６】
上記の課題を解決するために、本発明であるタイル剥離防止金具は、タイルの裏面に形成された逆台形状の凸条に係止して前記タイルの裏面に打設したコンクリートから前記タイルが剥離することを防止するタイル剥離防止金具であって、前記タイルに対して外方に突出するように湾曲させて弾力を持たせた湾曲面と、前記湾曲面の両端からそれぞれ前記タイルに向かって延ばされ前記湾曲面の弾力により開閉可能なアームと、前記アームの先端から閉方向に突出させた爪片と、を有し、前記湾曲面は、前記コンクリートを通すための切欠部が空けられ、前記アームは、双方の先端が前記凸条の幅よりも狭い間隔で閉じており、前記爪片は、前記アームの先端を開いて前記凸条を両側から挟み込むように掛けられ、かつ、前記アームの一端側が一のタイルに掛けられ、他端側が一のタイルに隣接する他のタイルに跨るように掛けられる、ことを特徴とする。
【０００７】
前記爪片は、前記アームの一端側が一のタイルに掛けられ、他端側が一のタイルに隣接する他のタイルに跨るように掛けられる、ことを特徴とする。
【０００８】
前記アームは、前記アームの先端から一のタイルと他のタイルの間の目地に向かって突出させた突片を有する、ことを特徴とする。
【０００９】
前記爪片は、一方のアームの一端側が一のタイルに掛けられ、他方のアームの一端側が一のタイルと他方側に隣接する他のタイルに跨るように掛けられる、ことを特徴とする。
【００１０】
前記爪片は、前記タイルの内部を貫通する通孔に通された鉄筋に掛けられる、ことを特徴とする請求項１乃至４の何れか一に記載のタイル剥離防止金具。
【００１１】
本発明であるタイルパネルは、上記タイル剥離防止金具が取り付けられたタイルの裏面にコンクリートが打設された、ことを特徴とする。
【発明の効果】
【００１２】
本発明は、建築物の壁面に取り付けたタイルパネルからタイルが剥離して落下することを防止することができる。すなわち、タイル剥離防止金具は、上下両側のアームを弾性力により外側に撓ませて、アリ足にアームから内側に出た爪片を掛けているので、タイル裏面にコンクリートを打設する際に外側からの圧力により外れてしまうことがない。また、湾曲面に切欠部を設けているので、軽量になった上に、コンクリートがタイル剥離防止金具の外側から内部に入り込みやすくなり、タイル剥離防止金具がより外れ難くなる。そのため、タイルとコンクリートとが強固に連結され、タイルが剥離することをより効果的に防止することができる。
【図面の簡単な説明】
【００１３】
【図１】本発明の実施例１に係るタイル剥離防止金具を取り付けたタイルパネル背面側の正面図である。
【図２】本発明の実施例１に係るタイル剥離防止金具を取り付けたタイルパネル背面側の平面図である。
【図３】本発明の実施例１に係るタイル剥離防止金具を取り付けたタイルパネル背面側の側面図である。
【図４】本発明の実施例１に係るタイル剥離防止金具の斜視図である。
【図５】本発明の実施例１に係るタイル剥離防止金具の正面図である。
【図６】本発明の実施例１に係るタイル剥離防止金具の平面図である。
【図７】本発明の実施例１に係るタイル剥離防止金具の側面図である。
【図８】本発明の実施例１に係るタイル剥離防止金具を四方のタイルの間に取り付けた場合の正面図である。
【図９】本発明の実施例２に係るタイル剥離防止金具をタイル内に通した鉄筋に掛ける場合の正面図である。
【図１０】本発明の実施例２に係るタイル剥離防止金具をタイル内に通した鉄筋に掛ける場合の側面図である。
【図１１】本発明の実施例２に係るタイル剥離防止金具の正面図である。
【図１２】本発明の実施例２に係るタイル剥離防止金具の平面図である。
【図１３】本発明の実施例２に係るタイル剥離防止金具の側面図である。
【発明を実施するための形態】
【００１４】
以下に、本発明の実施形態について図面を参照して詳細に説明する。なお、同一機能を有するものは同一符号を付け、その繰り返しの説明は省略する場合がある。
【実施例１】
【００１５】
まず、タイル剥離防止金具を取り付けたタイルパネルについて説明する。図１は、タイル剥離防止金具を取り付けたタイルパネル背面側の正面図であり、図２は、その平面図であり、図３は、その側面図である。
【００１６】
図１〜３に示すように、タイルパネル１００は、タイル剥離防止金具２００が取り付けられたタイル１１０、１１０ａの裏面に基板としてコンクリート１３０等が打設されたプレキャストコンクリートである。すなわち、タイルパネル１００は、所定のサイズの基板に、複数のタイル１１０、１１０ａが縦横に並んで配置されたものとなる。そして、予め製造された複数のタイルパネル１００が、建築現場において壁の表面に設置される。
【００１７】
タイル１１０、１１０ａは、陶磁器などを素材とした装飾板であり、建築物の外壁又は内壁等を保護する建築資材である。タイル１１０、１１０ａは、道路側に面する表面に模様などの装飾が施される。タイル１１０とタイル１１０ａの隙間である目地１２０には、コンクリート１３０を充填して防水すると共に、タイル１１０、１１０ａが剥離するのを防止する。なお、目地１２０にモルタルやセメント等を充填しても良い。
【００１８】
タイル１１０、１１０ａは、基板に接着される裏面に凹凸状の裏足が形成される。具体的には、タイル１１０、１１０ａの左端から右端にかけて所定の幅で突出する凸条１１１と、同様に所定の幅で陥没する凹条１１２とが、上下方向に交互に繰り返すようにする。なお、凸条１１１及び凹条１１２は、タイル１１０、１１０ａの上端から下端にかけて延ばされ、それが左右方向に交互に繰り返すようにしても良い。
【００１９】
凸条１１１は、断面が逆台形状に突出し、逆に、凹条１１２は、断面が台形状に陥没しており、凹条１１２から凸条１１１に至る部分に、裏足が蟻の足状になったアリ足１１３が形成される。タイル１１０、１１０ａの裏面にコンクリート１３０を打設した際に、コンクリート１３０がアリ足１１３に入り込んで引っ掛かるので、タイル１１０、１１０ａとコンクリート１３０とが強固に連結される。
【００２０】
タイル１１０、１１０ａは、基板が劣化して剥離する場合や、周囲からの飛来物や衝突物が当たって割れる等して剥離する場合があるので、タイル剥離防止金具２００を使用してタイル１１０、１１０ａの裏面に打設したコンクリート１３０からタイル１１０、１１０ａが剥離することを防止する。
【００２１】
タイル剥離防止金具２００は、タイル１１０、１１０ａの裏面に形成された凸条１１１に係止する。すなわち、タイル剥離防止金具２００は、凸条１１１の上側に形成されたアリ足１１３から、凸条１１１を上下に跨ぐように縦断させて、凸条１１１の下側に形成されたアリ足１１３に掛けられる。その上で、タイル１１０、１１０ａの裏面にコンクリート１３０が打設されるので、タイル剥離防止金具２００を介してタイル１１０、１１０ａとコンクリート１３０とがより強固に連結される。
【００２２】
図４は、タイル剥離防止金具の斜視図であり、図５は、その正面図であり、図６は、その平面図であり、図７は、その側面図である。なお、左側、右側、上側、下側、奥側及び手前側の表現については、図５の正面図を基準にして示す。
【００２３】
図４〜７に示すように、タイル剥離防止金具２００は、金属板を加工することにより成形された留具であり、タイル１１０、１１０ａに対して外方に突出するように湾曲させて弾力を持たせた湾曲面２１０、２１１と、湾曲面２１０、２１１の両端からそれぞれタイル１１０、１１０ａに向かって延ばされ湾曲面２１０、２１１の弾力により開閉可能なアーム２２０、２２１と、アーム２２０、２２１の先端から閉方向に突出させた爪片２４０、２４１、２４２、２４３と、を有する。
【００２４】
湾曲面２１０は、タイル剥離防止金具２００の左端部において、上端から下端にかけて手前側に湾曲しており、湾曲面２１１は、タイル剥離防止金具２００の右端部において、上端から下端にかけて湾曲面２１０と同じ側に湾曲している。湾曲面２１０、２１１の上端部にはアーム２２０が連設され、湾曲面２１０、２１１の下端部にはアーム２２１が連設される。なお、湾曲面２１０と湾曲面２１１の間には、コンクリート１３０を通すための切欠部２３０が空けられる。
【００２５】
アーム２２０は、湾曲面２１０、２１１の上端部から奥側に下方に傾いて延ばされ、アーム２２１は、湾曲面２１０、２１１の下端部からアーム２２０と同じ側に上方に傾いて延ばされる。すなわち、アーム２２０とアーム２２１とが、お互いに近接するように閉じている。なお、切欠部２３０が湾曲面２１０、２１１からアーム２２０、２２１にまで及んでいても良い。
【００２６】
爪片２４０は、アーム２２０の左下端において下方に突出し、爪片２４１は、アーム２２０の右下端において下方に突出し、爪片２４２は、アーム２２１の左下端において上方に突出し、爪片２４３は、アーム２２１の右下端において上方に突出する。すなわち、爪片２４０と爪片２４２とはお互いに対向し、爪片２４１と爪片２４３とはお互いに対向する。
【００２７】
アーム２２０、２２１は、さらに、突片２５０、２５１を有する。突片２５０は、アーム２２０の中下端において奥側に突出し、突片２５１は、アーム２２１の中下端において奥側に突出する。
【００２８】
次に、タイル剥離防止金具の取付けについて説明する。例えば、図１〜３に示すように、タイル１１０の裏面右端部からタイル１１０ａの裏面左端部に渡るようにタイル剥離防止金具２００を係止する。
【００２９】
タイル剥離防止金具２００の湾曲面２１０、２１１の弾力を利用して、アーム２２０を上方に開くように、かつアーム２２１を下方に開くように応力を加える。そして、タイル１１０の凸条１１１の上側のアリ足１１３に爪片２４０を掛け、タイル１１０ａの凸条１１１の上側のアリ足１１３に爪片２４１を掛け、タイル１１０の凸条１１１の下側のアリ足１１３に爪片２４２を掛け、タイル１１０ａの凸条１１１の下側のアリ足１１３に爪片２４３を掛ける。湾曲面２１０、２１１に加えた応力を解放することで、爪片２４０、２４１、２４２、２４３が、凸条１１１を上下両側から挟み込む。
【００３０】
爪片２４０、２４１は下方に戻る力が掛かり、爪片２４０、２４１は上方に戻る力が掛かるが、凸条１１１を掴むために、閉じた状態において、アーム２２０、２２１双方の先端同士の間隔は、凸条１１１の幅よりも狭くする。
【００３１】
アーム２２０の先端に設けた爪片２４０、２４１において、一端側の爪片２４０がタイル１１０に掛けられ、他端側の爪片２４１が横方向に隣接するタイル１１０ａに跨るように掛けられる。同様に、アーム２２１の先端に設けた爪片２４２、２４３において、一端側の爪片２４２がタイル１１０に掛けられ、他端側の爪片２４３が横方向に隣接するタイル１１０ａに跨るように掛けられる。
【００３２】
このとき、突片２５０、２５１がアーム２２０、２２１の先端からタイル１１０とタイル１１０ａの間の目地１２０に向かって突出している。突片２５０、２５１を目地１２０に収めることにより、タイル剥離防止金具２００が横方向にスライド移動することを防止する。
【００３３】
タイル１１０、１１０ａの裏面にタイル剥離防止金具２００を取り付けた状態でコンクリート１３０を打設してタイルパネル１００を製造する。このとき、タイル剥離防止金具２００の外部からコンクリート１３０により圧力が掛かってもアーム２２０、２２１を閉じる力が強まるだけで、タイル剥離防止金具２００は外れにくい。さらに、湾曲面２１０、２１１に空けた切欠部２３０からタイル剥離防止金具２００の内部にコンクリート１３０が入り込むため、タイル剥離防止金具２００により連結されたタイル１１０とタイル１１０ａが、さらにコンクリート１３０とも連結される。
【００３４】
タイル剥離防止金具２００は、タイル１１０、１１０ａとコンクリート１３０の連結に加え、タイル１１０とタイル１１０ａとが連結されるので、よりタイル１１０、１１０ａの剥離が防止されると共に、仮にタイル１１０が剥離したとしても、タイル１１０ａとの連結によりタイル１１０の落下を防止することができる。
【００３５】
図８は、タイル剥離防止金具を四方のタイルの間に取り付けた場合の正面図である。図８に示すように、タイル１１０の裏面右下部、タイル１１０ａの裏面左下部、タイル１１０ｂの裏面右上部、及びタイル１１０ｃの裏面左上部に跨るようにタイル剥離防止金具２００を係止する。
【００３６】
すなわち、タイル１１０の凸条１１１の上側のアリ足１１３に爪片２４０を掛け、タイル１１０ａの凸条１１１の上側のアリ足１１３に爪片２４１を掛け、タイル１１０ｂの凸条１１１の下側のアリ足１１３に爪片２４２を掛け、タイル１１０ｃの凸条１１１の下側のアリ足１１３に爪片２４３を掛ける。
【００３７】
アーム２２０の一端側の爪片２４０がタイル１１０に掛けられ、アーム２２１の一端側の爪片２４２が縦方向に隣接するタイル１１０ｂに跨るように掛けられる。同様に、アーム２２０の他端側の爪片２４１がタイル１１０ａに掛けられ、アーム２２１の他端側の爪片２４３が縦方向に隣接するタイル１１０ｃに跨るように掛けられる。
【００３８】
タイル剥離防止金具２００によれば、建築物の壁面に取り付けたタイルパネル１００からタイル１１０、１１０ａが剥離して落下することを防止することができる。すなわち、タイル剥離防止金具２００は、上下両側のアーム２２０、２２１を弾性力により外側に撓ませて、アリ足１１３にアーム２２０、２２１から内側に出た爪片２４０、２４１、２４２、２４３を掛けているので、タイル１１０、１１０ａの裏面にコンクリート１３０を打設する際に外側からの圧力により外れてしまうことがない。また、湾曲面２１０、２１１に切欠部２３０を設けているので、軽量になった上に、コンクリート１３０がタイル剥離防止金具２００の外側から内部に入り込みやすくなり、タイル剥離防止金具２００がより外れ難くなる。そのため、タイル１１０、１１０ａとコンクリート１３０とが強固に連結され、タイル１１０、１１０ａが剥離することをより効果的に防止することができる。
【実施例２】
【００３９】
タイル剥離防止金具の他の実施例として、タイル剥離防止金具をタイル内に通した鉄筋に掛ける場合について説明する。図９は、タイル剥離防止金具をタイル内に通した鉄筋に掛ける場合の正面図であり、図１０は、その側面図である。
【００４０】
図９〜１０に示すように、タイルパネル１００ａには、横方向に内部を貫通する複数の通孔１４１が、上部から下部に渡って間欠的に空けられる。そして、通孔１４１のうち、任意の箇所に鉄筋１４２、１４２ａが通される。タイル剥離防止金具２００ａは、鉄筋１４２，１４２ａを利用して係止する。
【００４１】
図１１は、タイル剥離防止金具の正面図であり、図１２は、その平面図であり、図１３は、その側面図である。なお、左側、右側、上側、下側、奥側及び手前側の表現については、図１１の正面図を基準にして示す。
【００４２】
図１１〜１３に示すように、タイル剥離防止金具２００ａは、タイル剥離防止金具２００と同様に、金属板を加工することにより成形された留具であり、タイル１４０、１４０ａに対して外方に突出するように湾曲させて弾力を持たせた湾曲面２１０ａと、湾曲面２１０ａの両端からそれぞれタイル１４０、１４０ａに向かって延ばされ湾曲面２１０ａの弾力により開閉可能なアーム２２０ａ、２２１ａと、アーム２２０ａ、２２１ａの先端から閉方向に突出させた爪片２４０ａ、２４２ａと、を有する。
【００４３】
湾曲面２１０ａは、タイル剥離防止金具２００ａにおいて、上端から下端にかけて手前側に湾曲している。湾曲面２１０ａの上端部にはアーム２２０ａが連設され、湾曲面２１０ａの下端部にはアーム２２１ａが連設される。なお、湾曲面２１０ａには、コンクリート１３０を通すための切欠部２３０ａが空けられる。
【００４４】
アーム２２０ａは、湾曲面２１０ａの上端部から下方に延ばされ、アーム２２１ａは、湾曲面２１０ａの下端部から上方に延ばされる。すなわち、アーム２２０ａとアーム２２１ａとが、お互いに近接するように閉じている。
【００４５】
爪片２４０ａは、アーム２２０ａの先端から一旦上方に向かって湾曲させてから下方に向かって湾曲させることで閉方向に突出させ、爪片２４２ａは、アーム２２１ａの先端から一旦下方に向かって湾曲させてから上方に向かって湾曲させることで閉方向に突出させる。すなわち、爪片２４０ａと爪片２４２ａとはお互いに対向する。
【００４６】
アーム２２０ａ、２２１ａは、突片２５０ａ、２５１ａを有する。突片２５０ａは、爪片２４０ａ先端において奥側に突出し、突片２５１は、爪片２４２ａの先端において奥側に突出する。
【００４７】
図９〜１０に示すように、爪片２４０ａは、タイル１４０、１４０ａの内部を貫通する通孔１４１に通された鉄筋１４２に掛けられ、爪片２４２ａは、タイル１４０、１４０ａの内部を貫通する通孔１４１に通された鉄筋１４２ａに掛けられる。タイル１４０、１４０ａの裏面に凸条１１１が形成されていない場合や、アリ足１１３に係止しづらい場合に、タイル剥離防止金具２００ａを使用すれば良い。
【００４８】
タイル剥離防止金具２００ａによっても、建築物の壁面に取り付けたタイルパネル１００ａからタイル１４０、１４０ａが剥離して落下することを防止することができる。すなわち、タイル剥離防止金具２００ａは、上下両側のアーム２２０ａ、２２１ａを弾性力により外側に撓ませて、鉄筋１４２、１４２ａにアーム２２０ａ、２２１ａから内側に出た爪片２４０ａ、２４２ａを掛けているので、タイル１４０、１４０ａの裏面にコンクリート１３０を打設する際に外側からの圧力により外れてしまうことがない。また、湾曲面２１０ａに切欠部２３０ａを設けているので、軽量になった上に、コンクリート１３０がタイル剥離防止金具２００ａの外側から内部に入り込みやすくなり、タイル剥離防止金具２００ａがより外れ難くなる。そのため、タイル１４０、１４０ａとコンクリート１３０とが強固に連結され、タイル１４０、１４０ａが剥離することをより効果的に防止することができる。
【００４９】
以上、本発明の実施例を述べたが、これらに限定されるものではない。例えば、タイル剥離防止金具２００（２００ａ）は、タイル１１０（１４０）とタイル１１０ａ（１１０ｂ、１１０ｃ、１４０ａ）の間に（跨って）取り付ける場合に限られず、１枚のタイル１１０内に取り付けても良い。すなわち、コンクリート１３０内に鉄筋を通す場合に、鉄筋とコンクリートとのかぶりを確保するためのスペーサーとして使用しても良い。
【００５０】
湾曲面２１０（２１０ａ）は、タイル１１０（１１０ａ、１１０ｂ、１１０ｃ、１４０、１４０ａ）に対して外方に突出している場合に限られず、弾力によりアーム２２０、２２１（２２０ａ、２２１ａ）を開閉させることができれば、タイル１１０（１１０ａ、１１０ｂ、１１０ｃ、１４０、１４０ａ）に向かって突出、又は凹凸等その他の状態になっていても良い。
【００５１】
切欠部２３０（２３０ａ）は、湾曲面２１０（２１０ａ）の中央に空ける場合に限られず、中央を狭く残して左右両側を空けるようにしても良い。なお、切欠部２３０（２３０ａ）の大きさは任意であり、コンクリート１３０を打設する際にコンクリート１３０がタイル剥離防止金具２００（２００ａ）の内部に入り込むのに邪魔とならなければ、切欠部２３０（２３０ａ）が無くても良い。
【００５２】
アーム２２０、２２１（２２０ａ、２２１ａ）は、タイル１１０（１１０ａ、１１０ｂ、１１０ｃ、１４０、１４０ａ）に対して垂直、又は閉方向に傾いている場合に限られず、閉じた状態で凸条１１１の幅よりも狭くなっていれば、開方向に傾いていても良い。
【００５３】
爪片２４０、２４１、２４２、２４３は、アーム２２０、２２１の一端に設けたもの（２４０、２４２）と、アーム２２０、２２１の他端に設けたもの（２４１、２４３）とが離れている場合に限られず、一端から他端まで繋がっていても良い。
【００５４】
爪片２４０、２４１、２４２、２４３（２４０ａ、２４２ａ）は、凸条１１１（鉄筋１４２、１４２ａ）の上下両側に掛かれば良く、アーム２２０、２２１との角度は任意である。同様に、突片２５０、２５１（２５０ａ、２５１ａ）も、目地１２０に収まれば良く、アーム２２０、２２１との角度は任意である。
【符号の説明】
【００５５】
１００，１００ａ：タイルパネル
１１０，１１０ａ，１１０ｂ，１１０ｃ：タイル
１１１：凸条
１１２：凹条
１１３：アリ足
１２０：目地
１３０：コンクリート
１４０，１４０ａ：タイル
１４１：通孔
１４２，１４２ａ：鉄筋
２００，２００ａ：タイル剥離防止金具
２１０，２１０ａ，２１１：湾曲面
２２０，２２０ａ，２２１，２２１ａ：アーム
２３０，２３０ａ：切欠部
２４０，２４０ａ，２４１，２４２，２４２ａ，２４３：爪片
２５０，２５０ａ，２５１，２５１ａ：突片
【要約】
【課題】建築物の壁面に取り付けたタイルパネルからタイルが剥離して落下することを防止することができるタイル剥離防止金具を提供する。
【解決手段】タイル剥離防止金具は、タイルの裏面に形成された逆台形状の凸条に係止して前記タイルの裏面に打設したコンクリートから前記タイルが剥離することを防止するタイル剥離防止金具であって、前記タイルに対して外方に突出するように湾曲させて弾力を持たせた湾曲面と、前記湾曲面の両端からそれぞれ前記タイルに向かって延ばされ前記湾曲面の弾力により開閉可能なアームと、前記アームの先端から閉方向に突出させた爪片と、を有し、前記湾曲面は、前記コンクリートを通すための切欠部が空けられ、前記アームは、双方の先端が前記凸条の幅よりも狭い間隔で閉じており、前記爪片が、前記アームの先端を開いて前記凸条を両側から挟み込むように掛けられる。
【選択図】図１【図１】
0005924607.tif 000002
【図２】
0005924607.tif 000003
【図３】
0005924607.tif 000004
【図４】
0005924607.tif 000005
【図５】
0005924607.tif 000006
【図６】
0005924607.tif 000007
【図７】
0005924607.tif 000008
【図８】
0005924607.tif 000009
【図９】
0005924607.tif 000010
【図１０】
0005924607.tif 000011
【図１１】
0005924607.tif 000012
【図１２】
0005924607.tif 000013
【図１３】
0005924607.tif 000014